(57)【要約】【課題】防犯性に優れ、建付けのよい開閉機構を備えた、開き窓、滑り出し窓等の開口部装置を提供する。【解決手段】開き窓、滑り出し窓等の開口部装置において、枠体と障子とをカム溝９０を設けた連結アーム７４で連結し、連結アームのカム溝は、上部に折曲部の切り込み９１を備え、切り込みは底部の第一経路と、上部の係止点を備えた第二経路によって構成されており、障子の閉時には、係止点に保持されている接触子８２によって室外からの不正開放が防止されるとともに、室内からの通常の遠隔操作によれば、切り込みから接触子を移動させて、前記障子を開放することが可能である。【選択図】      図２
2005036398.tif 000002
【特許請求の範囲】
【請求項１】
縦枠、および横枠を備えた枠体と、該枠体に縦枠と平行な軸を中心に移動しつつ回動して室内または／および室外に自在に作動する縦框、および横框を備えた障子、または前記縦枠と平行な軸に対して、室内または／および室外に作動する障子を前記枠体内に備えた開口部装置であって、
前記縦框に取り付けられ、室内側から遠隔操作により操作されて障子を開閉する開閉機構を設け、
前記開閉機構は、前記障子の戸先框に取り付けられて、長孔が形成された障子ブラケットと、該障子ブラケットの長孔を移動可能なピンによって上端部が取り付けられ、下端部が前記縦枠に取り付けられた、長手方向にカム溝が形成された連結アームと、該連結アームのカム溝を移動可能な接触子によって上端部が取り付けられたレバー部とを備え、前記長孔を前記ピンが移動し、また前記カム溝を前記接触子が移動することによって前記障子が開閉するよう構成されており、
前記連結アームのカム溝は、上部に折曲部の切り込みを備え、前記切り込みは底部の第一経路と、上部の係止点を備えた第二経路によって構成されており、前記障子の閉時には、前記係止点に保持されている前記接触子によって室外からの不正開放が防止されるとともに、室内からの通常の遠隔操作により、前記切り込みから接触子を移動させて、前記障子を開放することが可能である
ことを特徴とする開口部装置。
【発明の詳細な説明】
【０００１】
【発明の属する技術分野】
本発明は、開閉機構を備えた、開き窓、滑り出し窓等の開口部装置に関する。
【０００２】
【従来の技術】
建物の躯体の開口部に取り付けられる窓としては、上枠、下枠、および左右の縦枠からなる枠体と、該枠体に縦枠と平行な軸を中心に回動して室外側に開くように開閉自在に設けられた障子とを備えた窓（縦辷り窓や開き窓）が知られている。このような窓は、明かり取りや換気用として建物の壁の高所に取り付けられ、外観のよいデザインを図っている。
【０００３】
窓に設けられた障子の開閉の方法は、高所に設けられているため、障子の戸先框に連結され遠隔操作部を設けて行っている。特許文献１には図６に示す天窓等に施工可能である開閉機構が開示されている。遠隔操作部には開閉装置３００が取り付けられており、開閉装置３００には、枢支軸３０１に回転自在に軸支され、ウォーム歯車３０２と噛み合うウォームホイール３０３とからなり、ウォームホイール３０３に作動部材を構成するレバー３０４が突設されている。レバー３０４の先端には、ピン３０５を介して一端が旋回自在に軸支されたハンドル３０６が設けられている。この開閉装置３００は、電動モーター３０７により開閉がなされるよう設けられている。
【特許文献１】特開２００１−１４０５４０号公報
【０００４】
【発明が解決しようとする課題】
しかし、アームは２部材でできていたため建付け狂いが生じるおそれがあり、障子が閉まりにくくなる可能性があった。そのため枠体と障子の間に隙間が生じ、室外側から開放されてしまう可能性もあった。
【０００５】
また、障子を閉じた状態において室外側から強い振動を与えた場合、障子が半開きとなり、そこから障子を開放されてしまう可能性もあった。
【０００６】
そこで、本発明は、防犯性に優れ、建付けのよい開閉機構を備えた、開き窓、滑り出し窓等の開口部装置を提供することを課題とする。
【０００７】
【課題を解決するための手段】
以下、本発明について説明する。なお、本発明の理解を容易にするために添付図面の参照符号を括弧書きにて付記するが、それにより本発明が図示の形態に限定されるものではない。
【０００８】
請求項１の発明は、縦枠（５３、５４）、および横枠（５１、５２）を備えた枠体（５０）と、枠体に縦枠と平行な軸を中心に移動しつつ回動して室内または／および室外に自在に作動する、縦框（６３、６４）、および横框（６１、６２）を備えた障子（６０）、または縦枠と平行な軸に対して、室内または／および室外に作動する障子を枠体内に備えた開口部装置であって、縦框に取り付けられ、室内側から遠隔操作により操作されて障子を開閉する開閉機構（７０）を設け、開閉機構は障子の戸先框（６３ａ）に取り付けられて、長孔（１０２）が形成された障子ブラケット（１００）と、障子ブラケットの長孔を移動可能なピン（８３）によって上端部が取り付けられ、下端部が縦枠に取り付けられた、長手方向にカム溝（９０）が形成された連結アーム（７４）と、連結アームのカム溝を移動可能な接触子（８２）によって上端部が取り付けられたレバー部（８１ａ）とを備え、長孔をピンが移動し、またカム溝を接触子が移動することによって障子が開閉するよう構成されており、連結アームのカム溝は、上部に折曲部の切り込みを備え、切り込みは底部の第一経路（９３）と、上部の係止点（９４ａ）を備えた第二経路（９４）によって構成されており、障子の閉時には、係止点に保持されている接触子によって室外からの不正開放が防止されるとともに、室内からの通常の遠隔操作により、切り込みから接触子を移動させて、前記障子を開放することが可能であることを特徴とする開口部装置を提供して前記課題を解決する。
【０００９】
請求項１の発明によれば、連結アームのカム溝内部に防犯機能を備えていることによって室外側からの不正な開放が防止されるため防犯性が向上し、サブロック等の二重施錠装置が不要となる。また、カム溝を設けるため複数のアームを必要とせず、建付け狂いを防ぐとともに、生産コストを削減することが可能である。
【００１０】
本発明のこのような作用及び利得は、次に説明する実施の形態から明らかにされる。
【００１１】
【発明の実施の形態】
以下本発明を、図面に示す開き窓を適用した実施形態に基づき説明する。
【００１２】
図１は、本発明に係る開き窓２００が開放されているときに開き窓２００を室内側から正面視したときの該略図である。
【００１３】
図示の開き窓２００は建物（図示せず。）の所定箇所に取り付けられる枠体５０と、枠体５０の開口部を開閉するために枠体５０に取り付けられた障子６０とを備えている。
【００１４】
枠体５０は、上枠５１、下枠５２、右縦枠５３、および左縦枠５４によって構成されている。
【００１５】
また、障子６０は、上框６１と、下框６２と、右縦框６３と、左縦框６４、および、これらの框に固定されたガラスパネル６５とを備えている。枠体５０は、左縦枠５４と平行な軸を中心に回動して室外側に開くように構成されている。
【００１６】
右縦枠５３には隣接して取り付け板６６が取り付けられ、取り付け板６６の室内面には遠隔操作により操作されて障子６０を開閉する開閉機構７０が設けられている。開閉機構７０は、開閉力を障子６０に均等に伝えるために取り付け板６６の上下方向略中間に設けられている。開閉機構７０には、遠隔操作用の部材として、ウォームギヤ（図２参照）に、チェーン８５が巻き付けられた回転輪のスプロケット７３が設けられている。さらに、障子６０の右縦框６３に連結されてこれを室内外方向に作動する作動部材７１が形成されている。作動部材７１は連結アーム７４を備えており、連結アーム７４は、取り付け板６６の室外側でスプロケット７３のほぼ裏手にあたる位置に下端部が固定されている。また連結アーム７４の上端部は、右縦框６３の戸先側面６３ａに回動自在に取り付けられている。
【００１７】
上述した構造である開き窓２００は、取り付け板６６に設けられた作動部材７１に最大の特徴を持っている。以下、図２〜図５を参照しつつ、その構造を詳述する。
【００１８】
図２は、開き窓２００の縦断面を概略的に示した透視図である。障子６０にはガラスパネル６７ａ、および６７ｂが、スペーサー６８ａ、６８ｂを挟持した状態でグレージングチャネル６９ａ、および６９ｂを介して取り付けられている。右縦枠５３の戸先面５３ａには、室外よりの位置から垂直に戸先方向に延設された取り付け板６６が設けられている。取り付け板６６には台座部７５がねじ等（図示せず。）で取り付けられ、台座部７５には開閉ユニット８０がねじ７７ａ、および７７ｂによって上下を固定されている。また、開閉ユニット８０は、断熱カバー７６を介して熱効率を高める形で取り付け板６６に取り付けられている。
【００１９】
さらに開閉ユニット８０は、垂直回動自在に軸支されたウォームホイール８１と、ウォームホイール８１と噛み合ってこれを駆動するウォーム（図示省略）とを備え、ウォームホイール８１に、作動部材７１を構成する連結アーム７４が設けられている。連結アーム７４には、長手方向にカム溝９０が形成され、カム溝９０の内部には接触子８２が設けられている。このカム溝９０は、上部が室内方向に折れ曲がり、再び上方向に折れ曲げられた閉鎖孔９１が形成されている。また、下部には開放孔９２が設けられている。
【００２０】
上記ウォーム（図示省略）のウォームギヤ７２には、チェーン８５（図１参照）が巻きつけられた上記回転輪のスプロケット７３（図１参照）が連結されている。ウォームホイール８１の先端にはレバー部８１ａが延設されており、上記カム溝９０にレバー部８１ａが円柱形状の接触子８２を介して一端が装着されている。接触子８２の側面がカム溝９０を滑走可能に設計されているため、装着されたレバー部８１ａは、カム溝全域を移動できる。
【００２１】
また、右縦框６３の戸先面６３ａには、長孔１０２が形成されている障子ブラケット１００が、ねじ１０１ａ、および１０１ｂによって固定されている。長孔１０２には、上記連結アーム７４の上部がピン８３を介して装着されている。ピン８３の胴部側面（図４参照）が長孔１０２を滑走可能に設計されているため、装着された連結アーム７４は、カム溝全域を移動できる。一方、連結アーム７４の下端部は、ねじ８４によって留められており、室外側へ所定の角度で回動可能となっている。
【００２２】
すなわち、図中のＡで示されるような障子６０の開放時には、上記の遠隔操作部材のチェーン８５（図１参照）を開方向に回動させると、ピン８３が長孔１０２内部を下方向に移動されるのと同時に、接触子８２がカム溝９０内を下方向に移動される、という二つの支点によって動作可能となっている。また、Ｂに示されるように閉時には上方向へと移動される。
【００２３】
このように複数の連結アームを設けて障子の開閉を行う必要がなく、ピン、および接触子が長孔、もしくはカム溝を摺動するのみでよく、建付け狂い等を防ぐことができるため、障子６０は正確に開閉されることが可能となる。
【００２４】
図３には、図２の横断面図を示す。本図においては障子６０が右縦枠５３に当接された閉時における様子を示している。右縦枠５３には断面形状が略Ｌ字形状である取り付け板６６が取り付けられており、他面は室内側に配向され、先端はパネル６７ａ、および６７ｂ側に延設されている。取り付け板６６の室内面には、開閉ユニット８０が障子６０に対して垂直に設けられている。また、開閉ユニット８０の左側面からは略４５度の傾斜でウォームギヤ７２が取り付けられている。
【００２５】
ウォームギヤ７２の先端にはスプロケット７３が回転可能な円盤形状に設けられている。室外側面７３ａと、室内側面７３ｂとは略平行に設けられており、室外側面７３ａと、室内側面７３ｂ面とを連結している外周面７３ｃは内面に窪むように形成されている。外周面７３ｃの窪みにはチェーン８５が装着可能であって、遠隔からチェーン８５を所定の方向に回転させることによって障子６０を開閉させることができる。
【００２６】
また、右縦枠５３の戸先面５３ａには連結アーム７４が接するように設けられている。連結アーム７４にはピン８３が上記長孔１０２（図２参照）内に取り取り付けられている。
【００２７】
障子６０の右縦框６３の戸先面６３ａには、障子ブラケット１００がピン８３のピン頭８３ａが貫通されて設けられている。障子ブラケット１００は、ピン頭８３ａを設けるために右縦枠５３側に凸形状となるように湾曲されており、戸先面６３ａとの間に所定の大きさの空間が設けられている。
【００２８】
図４には、連結アーム７４と、障子ブラケット１００とを概略的に示す。
（ａ）は連結アーム７４がピン８３を介して障子ブラケット１００に取り付けられている様子を示している。ピン８３には、障子ブラケット１００に設けられた長孔１０２の幅よりも直径が長くとられている上記ピン頭８３ａが設けられており、上記上下動の移動において、ピン８３が溝から外れないように形成されている。連結アーム７４の中心部には、カム溝９０が長手方向に設けられている。
【００２９】
カム溝９０の下部には室内方向に円形状に切りかかれた開放孔９２が設けられている。上記の接触子８２は図示されていないが、図中に示したピン８３をカム溝９０に合うように、わずかに大きくした形状であって、略円柱状に形成されている。よって、開放孔９２の内周に沿って移動することが可能となっている。開放孔９２の直径Ｄは、カム溝９０の幅Ｌ１よりも長く設けられているため、障子６０の動きに対して接触子８２の動きが規制されるものではない。障子６０が全開されると、接触子８２が開放孔９２の室内側面に当接され、かつ固定部９２ａによってカム溝９０への移動を規制されるため、安定して障子６０が開放形態を保つことが可能となる。また、カム溝９０の上部には室内側に曲げられた第一経路９３と、さらに上方向に曲げられている第二経路９４とが形成された閉鎖孔９１が設けられている。
【００３０】
図４（ｂ）は、連結アーム７４、障子ブラケット１００、およびピン８３が連結している状態を上からみた概略図である。連結アームに取り付けられたピン８３は、障子ブラケット１００に設けられた長孔１０２を貫通し、ピン頭８３ａによって障子ブラケットからの抜け落ちが防止されている。長孔１０２内は、ピン８３の胴部８３ｂが設けられていることによって移動可能となっている。
【００３１】
図５は閉鎖孔９１を概略的に示した正面図である。（ａ）には図４の鎖線で囲んだ範囲Ａの拡大図を示す。閉鎖孔９１の第一経路９３の幅Ｌ２は、カム溝９０の幅Ｌ１と同じ長さに設けられており、また、第二経路９４の幅Ｌ３もカム溝９０の幅Ｌ１と同じ長さに設けられている。そのため、接触子８２は閉鎖孔９１の上端部までは、幅長にあわせるように到達される。図中の点線で示した矢線１１０は、上記室内側からの遠隔操作によって障子６０が開けられる際の接触子８２の軌道を示している。なお、接触子８２は閉じられた状態であるため第二経路９４の上部に当接しているものとする。接触子８２は、第二経路９４をカム溝９０の室内面側に沿って下降され第一経路９３の入り口に至り、第一経路９３においては室外側に移動され室外側面を沿うようにして下部まで至って開けられる。
【００３２】
また、この状態で障子６０が遠隔操作によって閉められた場合の接触子８２の軌道を実線の矢線１１１で示す。カム溝９０の室内側面に沿って第一経路９３手前まで至り、第一経路９３においても引き続き室内側面を沿うようにして第二経路９４手前まで押し上げられる。さらに第二経路９４でも、室内側面を沿うようにして閉鎖孔９１の上端部に至るように移動される。
【００３３】
一方、障子６０が閉じられている上記の状態おいて、室外側から不正に開けられようとした場合を太線の矢線１１２で示す。閉鎖孔９１の上端部にある接触子８２は、第二経路９４を室内面側に沿って下降されるが、係止点９４ａに当接されるため第一経路９３へ接触子８２が入ることができない。従って、カム溝９０を移動することができなくなる。よって、障子の動きが規制されて開放することができず、不正開放を防止できる。
【００３４】
図５（ｂ）には閉時における接触子８２の位置を概略的に示す。閉鎖孔９１の上部に接触子８２が当接されている。
【００３５】
また、図５（ｃ）には室外側から不正開放を試みられた状態を示す。本状態においては、障子６０がわずかに開かれた状態となっている。第二経路９４の長さ分のみ障子に遊びが生じてわずかに開かれた状態となるが、室外側から手、道具等が差し入れられる幅ではないため、例えば遠隔操作部材のチェーン８５（図１参照）が室外側に引き出されて、障子がこれ以上開放されるようなことはないように設けられている。障子（図には現れていない。）は開方向である図中の矢印方向に移動されるが、略直角に係止点９４ａに接触子８２が当接されているため、障子６０の開方向への移動を規制することが可能となっている。
【００３６】
上記のとおり、わずか一本の連結アームのみで障子の開閉が可能であって、連結アーム内に設けられているカム溝９０には室外側からの不正解錠に備えた防犯機能が設けられていることにより、施工が簡便でコンパクトな開き窓となる。さらには、防犯機能が連結アームに設けられているため、サブロック等の施錠装置を別体として取り付ける手間、および費用が不要である。
【００３７】
上記枠体５０を構成する枠材、および上下框６１、６２、左右の縦框６３、６４を構成する材料は、例えばアルミ押出形材からなる非断熱構造が用いられているが、これに限定されるものではなく、金属製の室外側形材と金属製の室内側形材とを合成樹脂の断熱ブリッジ材を介して結合してなる断熱構造のもの、あるいは金属製の室外側形材と、合成樹脂製の室内側形材とを結合してなる複合断熱構造のもの、あるいは合成樹脂製の形材のみからなるものであってもよい。
【００３８】
また、本実施形態では開き窓を例として説明したが、上枠、下枠、および左右の縦枠からなる枠体と、平行な軸を中心に障子が回動して室外側に開く縦辷りだし窓であっても上記開閉機構は取り付け可能である。
【００３９】
また、本実施形態では、開き窓を手動操作によって開閉する例を説明したが、開き窓に電動モーター等を設けて、遠隔からリモコン操作によって開閉させることも可能である。
【００４０】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う開口部装置もまた本発明の技術的範囲に包含されるものとして理解されなければならない。
【００４１】
【発明の効果】
以上に説明したように、請求項１の発明によれば、連結アームのカム溝内部に防犯機能を備えていることによって室外側からの不正な開放が防止されるため防犯性が向上し、サブロック等の二重施錠装置が不要となる。また、カム溝を設けるため複数のアームを必要とせず、建付け狂いを防ぐとともに、生産コストを削減することが可能である。
【図面の簡単な説明】
【図１】開き窓の開放状態を、概略的に室内側から示す正面図である。
【図２】開き窓の縦断面を概略的に示す透視図である。
【図３】図２に示した開き窓の横断面を示す断面図である。
【図４】連結アームと、障子ブラケットとを概略的に示す透視図である。
（ａ）には正面からみた図を、（ｂ）には上からみた図を示す。
【図５】閉鎖孔を概略的に示す正面図である。
（ａ）には図４の鎖線で囲んだ四角枠Ａの拡大図を、（ｂ）には閉時における接触子の概略的な位置を、（ｃ）にはわずかに開かれた状態における接触子の概略的な位置を示す。
【図６】従来の開閉機構を示す。
【符号の説明】
５０  枠体
５１  上枠
５２  下枠
５３  右縦枠
５４  左縦枠
６０  障子
６１  上框
６２  下框
６３  右縦框
６３ａ  戸先框
６４  左縦框
７０  開閉機構
７４  連結アーム
８１ａ  レバー部
８２  接触子
８３  ピン
９０  カム溝
９３  第一経路
９４ａ  係止点
９４  第二経路
１００  障子ブラケット
１０２  長孔
【図１】
2005036398.tif 000003
【図２】
2005036398.tif 000004
【図３】
2005036398.tif 000005
【図４】
2005036398.tif 000006
【図５】
2005036398.tif 000007
【図６】
2005036398.tif 000008